(57)【要約】【課題】ランダムアクセス手順の成功確率を向上させる。【解決手段】本実施形態に係る無線基地局ｅＮＢは、ランダムアクセス手順において、ＲＡプリアンブルの使用状況が所定条件を満たす場合に、バックオフ値を通知するバックオフ・インディケータを送信するように構成されているバックオフ・インディケータ送信部１４を具備し、バックオフ値は、移動局ＵＥにおけるＲＡプリアンブルの送信タイミングに係る値である。【選択図】図５
2010183531.tif 000002
【特許請求の範囲】
【請求項１】
ランダムアクセス手順において、ランダムアクセスプリアンブルの使用状況が所定条件を満たす場合に、バックオフ値を通知するバックオフ・インディケータを送信するように構成されているバックオフ・インディケータ送信部を具備し、
前記バックオフ値は、移動局におけるランダムアクセスプリアンブルの送信タイミングに係る値であることを特徴とする無線基地局。
【請求項２】
前記ランダムアクセスプリアンブルの使用状況として、測定期間内で前記移動局から受信した該ランダムアクセスプリアンブルの総数、該ランダムアクセスプリアンブルを送信する物理ランダムアクセスチャネルにおける受信電力、該物理ランダムアクセスチャネルにおける干渉電力、或いは、該物理ランダムアクセスチャネルにおけるＳＩＮＲ又はＥｓ/Ｎ０の少なくとも１つが用いられることを特徴とする請求項１に記載の無線基地局。
【請求項３】
前記バックオフ・インディケータ送信部は、連続する第１所定数の測定期間の全てにおいて前記移動局から受信したランダムアクセスプリアンブルの総数が第１閾値を超えていた場合に、通知するバックオフ値を増加させるように構成されており、
前記バックオフ・インディケータ送信部は、連続する第２所定数の測定期間の全てにおいて前記移動局から受信したランダムアクセスプリアンブルの総数が第２閾値以下であった場合に、通知するバックオフ値を減少させるように構成されていることを特徴とする請求項１に記載の無線基地局。
【請求項４】
前記バックオフ・インディケータ送信部は、通知するバックオフ値が０となる場合には、前記バックオフ・インディケータを送信しないように構成されていることを特徴とする請求項３に記載の無線基地局。
【請求項５】
無線基地局が、ランダムアクセス手順において、ランダムアクセスプリアンブルの使用状況が所定条件を満たす場合に、バックオフ値を通知するバックオフ・インディケータを送信する工程Ａと、
前記移動局が、前記バックオフ値に基づいて、ランダムアクセスプリアンブルの送信タイミングを調整する工程Ｂとを有することを特徴とする移動通信方法。
【請求項６】
前記ランダムアクセスプリアンブルの使用状況として、測定期間内で前記移動局から受信した該ランダムアクセスプリアンブルの総数、該ランダムアクセスプリアンブルを送信する物理ランダムアクセスチャネルにおける受信電力、該物理ランダムアクセスチャネルにおける干渉電力、或いは、該物理ランダムアクセスチャネルにおけるＳＩＮＲ又はＥｓ/Ｎ０の少なくとも１つが用いられることを特徴とする請求項５に記載の移動通信方法。
【請求項７】
前記工程Ａにおいて、前記無線基地局は、連続する第１所定数の測定期間の全てにおいて前記移動局から受信したランダムアクセスプリアンブルの総数が第１閾値を超えていた場合に、通知するバックオフ値を増加させ、
前記工程Ａにおいて、前記無線基地局は、連続する第２所定数の測定期間の全てにおいて前記移動局から受信したランダムアクセスプリアンブルの総数が第２閾値以下であった場合に、通知するバックオフ値を減少させることを特徴とする請求項５に記載の移動通信方法。
【請求項８】
前記工程Ａにおいて、前記無線基地局は、通知するバックオフ値が０となる場合には、前記バックオフ・インディケータを送信しないことを特徴とする請求項７に記載の移動通信方法。
【発明の詳細な説明】
【技術分野】
【０００１】
本発明は、無線基地局及び移動通信方法に関する。
【背景技術】
【０００２】
ＬＴＥ（Ｌｏｎｇ  Ｔｅｒｍ  Ｅｖｏｌｕｔｉｏｎ）方式の移動通信システムでは、移動局ＵＥが、通信開始時に行うランダムアクセス手順（Ｒａｎｄｏｍ  Ａｃｃｅｓｓ  Ｐｒｏｃｅｄｕｒｅ）を開始するために、ＰＲＡＣＨ（Ｐｈｙｓｉｃａｌ  Ｒａｎｄｏｍ  Ａｃｃｅｓｓ  Ｃｈａｎｎｅｌ、物理ランダムアクセスチャネル）を介して、ＲＡ（Ｒａｎｄｏｍ  Ａｃｃｅｓｓ）プリアンブルを送信するように構成されている。
【先行技術文献】
【非特許文献】
【０００３】
【非特許文献１】３ＧＰＰ  ＴＳ３６.３２１  Ｖ８.４.０
【非特許文献２】３ＧＰＰ  ＴＳ３６.３００  Ｖ８.７.０
【発明の概要】
【発明が解決しようとする課題】
【０００４】
しかしながら、上述の移動通信システムでは、同一のセルに複数の移動局ＵＥが在圏している場合等には、複数の移動局ＵＥによって同時に送信されたＲＡプリアンブルが衝突してしまい、ランダムアクセス手順の成功確率が低下してしまうという問題点があった。
【０００５】
そこで、本発明は、上述の課題に鑑みてなされたものであり、ランダムアクセス手順の成功確率を向上させることができる無線基地局及び移動通信方法を提供することを目的とする。
【課題を解決するための手段】
【０００６】
本発明の第１の特徴は、無線基地局であって、ランダムアクセス手順において、ランダムアクセスプリアンブルの使用状況が所定条件を満たす場合に、バックオフ値を通知するバックオフ・インディケータを送信するように構成されているバックオフ・インディケータ送信部を具備し、前記バックオフ値は、移動局におけるランダムアクセスプリアンブルの送信タイミングに係る値であることを要旨とする。
【０００７】
本発明の第２の特徴は、移動通信方法であって、無線基地局が、ランダムアクセス手順において、ランダムアクセスプリアンブルの使用状況が所定条件を満たす場合に、バックオフ値を通知するバックオフ・インディケータを送信する工程Ａと、前記移動局が、前記バックオフ値に基づいて、ランダムアクセスプリアンブルの送信タイミングを調整する工程Ｂとを有することを要旨とする。
【発明の効果】
【０００８】
以上説明したように、本発明によれば、ランダムアクセス手順の成功確率を向上させることができる無線基地局及び移動通信方法を提供することができる。
【図面の簡単な説明】
【０００９】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信されるＢａｃｋｏｆｆ値の一例を示す図である。
【図４】本発明の第１の実施形態に係る移動通信システムの動作を示すシーケンス図である。
【図５】本発明の第１の実施形態に係る無線基地局の動作を示すフローチャートである。
【発明を実施するための形態】
【００１０】
（本発明の第１の実施形態に係る移動通信システム）
図１乃至図３を参照して、本発明の第１の実施形態に係る移動通信システムについて説明する。
【００１１】
本実施形態に係る移動通信システムは、ＬＴＥ方式の移動通信システムであって、本実施形態に係る移動通信システムでは、図１に示すように、移動局ＵＥは、ランダムアクセス手順を開始するために、ＰＲＡＣＨを介して、無線基地局ｅＮＢに対して、ＲＡプリアンブルを送信するように構成されている。
【００１２】
図２に示すように、本実施形態に係る無線基地局ｅＮＢは、ＲＡプリアンブル計数部１１と、電力測定部１２と、判定部１３と、バックオフ・インディケータ送信部１４とを具備している。
【００１３】
ＲＡプリアンブル計数部１１は、各測定期間内で移動局ＵＥから受信したＲＡプリアンブルの総数を計数するように構成されている。
【００１４】
電力測定部１２は、ＰＲＡＣＨにおける受信電力や干渉電力やＳＩＮＲ（Ｓｉｇｎａｌ  ｔｏ  Ｉｎｔｅｒｆｅｒｅｎｃｅ  ｐｌｕｓ  Ｎｏｉｓｅ  ｐｏｗｅｒ  ｒａｔｉｏ）やＥｓ/Ｎ０（Ｅｎｅｒｇｙ  ｐｅｒ  ｓｙｍｂｏｌ  ｐｅｒ  Ｎｏｉｓｅ  ｓｐｅｃｔｒａｌ  ｄｅｎｓｉｔｙ）を測定するように構成されている。
【００１５】
判定部１３は、ランダムアクセスプリアンブルの使用状況が所定条件を満たすか否かについて、例えば、連続する第１所定数ＴｈＣＮＴ，ＵＰの測定期間の全てにおいて移動局ＵＥから受信したＲＡプリアンブルの総数Ｎｕｍｐｒｅが第１閾値ＴｈＮＵＭＵＰを超えていたか否かについて、或いは、連続する第２所定数ＴｈＣＮＴ，ＤＯＷＮの測定期間の全てにおいて移動局ＵＥから受信したＲＡプリアンブルの総数Ｎｕｍｐｒｅが第２閾値ＴｈＮＵＭＤＯＷＮ以下であるか否かについて判定するように構成されている。
【００１６】
或いは、判定部１３は、ランダムアクセスプリアンブルの使用状況が所定条件を満たすか否かについて、例えば、ＰＲＡＣＨにおける受信電力や干渉電力やＳＩＮＲやＥｓ/Ｎ０の少なくとも１つが所定閾値よりも大きい或いは小さいか否かについて判定するように構成されていてもよい。
【００１７】
バックオフ・インディケータ送信部１４は、ランダムアクセス手順において、ＲＡプリアンブルの使用状況が所定条件を満たす場合に、バックオフ値（Ｂａｃｋｏｆｆ値）を通知するバックオフ・インディケータ（Ｂａｃｋｏｆｆ  Ｉｎｄｉｃａｔｏｒ）を送信するように構成されている。
【００１８】
ここで、バックオフ値は、移動局ＵＥにおけるＲＡプリアンブルの送信タイミングに係る値であり、例えば、図３に示すように、「０」〜「９６０（ｍｓ）」の値となり得る。
【００１９】
例えば、バックオフ・インディケータ送信部１４は、連続する第１所定数ＴｈＣＮＴ，ＵＰの測定期間の全てにおいて移動局ＵＥから受信したＲＡプリアンブルの総数Ｎｕｍｐｒｅが第１閾値ＴｈＮＵＭＵＰを超えていた場合に、通知するバックオフ値を増加させるように構成されている。
【００２０】
すなわち、バックオフ・インディケータ送信部１４は、連続する第１所定数ＴｈＣＮＴ，ＵＰの測定期間の全てにおいて移動局ＵＥから受信したＲＡプリアンブルの総数Ｎｕｍｐｒｅが第１閾値ＴｈＮＵＭＵＰを超えていた場合に、前回通知したバックオフ値よりも大きいバックオフ値を含むバックオフ・インディケータを送信するように構成されている。
【００２１】
また、バックオフ・インディケータ送信部１４は、連続する第２所定数ＴｈＣＮＴ，ＤＯＷＮの測定期間の全てにおいて移動局ＵＥから受信したＲＡプリアンブルの総数Ｎｕｍｐｒｅが第２閾値ＴｈＮＵＭＤＯＷＮ以下である場合に、通知するバックオフ値を減少させるように構成されていてもよい。
【００２２】
すなわち、バックオフ・インディケータ送信部１４は、連続する第２所定数ＴｈＣＮＴ，ＤＯＷＮの測定期間の全てにおいて移動局ＵＥから受信したＲＡプリアンブルの総数Ｎｕｍｐｒｅが第２閾値ＴｈＮＵＭＤＯＷＮ以下である場合に、前回通知したバックオフ値よりも小さいバックオフ値を含むバックオフ・インディケータを送信するように構成されている。
【００２３】
なお、バックオフ・インディケータ送信部１４は、通知するバックオフ値が０となる場合には、バックオフ・インディケータを送信しないように構成されていてもよい。
【００２４】
例えば、バックオフ・インディケータ送信部１４は、図３に示す「Ｉｎｄｅｘ」を含むバックオフ・インディケータを送信するように構成されていてもよい。したがって、バックオフ・インディケータ送信部１４は、「Ｉｎｄｅｘ」＝「０」を含むバックオフ・インディケータを送信しないように構成されていてもよい。
【００２５】
また、バックオフ・インディケータ送信部１４は、ＲＡレスポンスによって、バックオフ・インディケータを送信するように構成されていてもよい。
【００２６】
（本発明の第１の実施形態に係る移動通信システムの動作）
図４及び図５を参照して、本発明の第１の実施形態に係る移動通信システムの動作について説明する。
【００２７】
図４に示すように、ステップＳ１００１において、移動局ＵＥが、ランダムアクセス手順を開始するにあたって、ＰＲＡＣＨを介して、無線基地局ｅＮＢに対して、ＲＡプリアンブル（Ｒａｎｄｏｍ  Ａｃｃｅｓｓ  Ｐｒｅａｍｂｌｅ）を送信する。
【００２８】
ステップＳ１００２において、無線基地局ｅＮＢは、受信したＲＡプリアンブルに応じて、移動局ＵＥに対して、ＲＡレスポンス（Ｒａｎｄｏｍ  Ａｃｃｅｓｓ  Ｒｅｓｐｏｎｓｅ）を送信する。
【００２９】
ここで、無線基地局ｅＮＢは、ＲＡレスポンスによってバックオフ・インディケータを送信するか否かについて判定する。以下、かかる判定動作について、図５を参照して説明する。
【００３０】
図５に示すように、ステップＳ１０１において、無線基地局ｅＮＢは、ある測定期間内で受信したＲＡプリアンブルの総数Ｎｕｍｐｒｅを計数する。
【００３１】
ステップＳ１０２において、無線基地局ｅＮＢは、バックオフ・インディケータを示す「Ｉｎｄｅｘ（以下、ＩｎｄｅｘＢＩ）」が「１２」ではなく、かつ、ＲＡプリアンブルの総数Ｎｕｍｐｒｅが第１閾値ＴｈＮＵＭＵＰよりも大きいか否かについて判定する。
【００３２】
「ＩｎｄｅｘＢＩ」が「１２」ではなく、かつ、ＲＡプリアンブルの総数Ｎｕｍｐｒｅが第１閾値ＴｈＮＵＭＵＰよりも大きい場合には、無線基地局ｅＮＢは、ステップＳ１０４において、カウンタＣｏｕｎｔＵＰをインクリメントする処理(ＣｏｕｎｔＵＰ＋＋)を行い、ステップＳ１０５の処理に進む。
【００３３】
一方、「ＩｎｄｅｘＢＩ」が「１２」である、或いは、ＲＡプリアンブルの総数Ｎｕｍｐｒｅが第１閾値ＴｈＮＵＭＵＰよりも大きくない場合には、無線基地局ｅＮＢは、ステップＳ１０３において、カウンタＣｏｕｎｔＵＰを初期化する処理(ＣｏｕｎｔＵＰ＝０)を行い、ステップＳ１０７に進む。
【００３４】
ステップＳ１０５において、無線基地局ｅＮＢは、カウンタＣｏｕｎｔＵＰが閾値（第１所定数）ＴｈＣＮＴ，ＵＰよりも大きいか否かについて判定する。  カウンタＣｏｕｎｔＵＰが閾値ＴｈＣＮＴ，ＵＰよりも大きい場合には、無線基地局ｅＮＢは、「ＩｎｄｅｘＢＩ」をインクリメントする処理（ＩｎｄｅｘＢＩ＋＋）を行い、ステップＳ１０７に進む。  一方、カウンタＣｏｕｎｔＵＰが閾値ＴｈＣＮＴ，ＵＰよりも大きくない場合には、無線基地局ｅＮＢは、ステップＳ１０７に進む。
【００３５】
ステップＳ１０７において、無線基地局ｅＮＢは、「ＩｎｄｅｘＢＩ」が「０」ではなく、かつ、ＲＡプリアンブルの総数Ｎｕｍｐｒｅが第２閾値ＴｈＮＵＭＤＯＷＮよりも小さいか否かについて判定する。
【００３６】
「ＩｎｄｅｘＢＩ」が「０」ではなく、かつ、ＲＡプリアンブルの総数Ｎｕｍｐｒｅが第２閾値ＴｈＮＵＭＤＯＷＮよりも小さい場合には、無線基地局ｅＮＢは、ステップＳ１０９において、カウンタＣｏｕｎｔＤＯＷＮをインクリメントする処理(ＣｏｕｎｔＤＯＷＮ＋＋)を行い、ステップＳ１１０の処理に進む。
【００３７】
一方、「ＩｎｄｅｘＢＩ」が「０」である、或いは、ＲＡプリアンブルの総数Ｎｕｍｐｒｅが第２閾値ＴｈＮＵＭＤＯＷＮよりも小さくない場合には、無線基地局ｅＮＢは、ステップＳ１０８において、カウンタＣｏｕｎｔＤＯＷＮを初期化する処理(ＣｏｕｎｔＤＯＷＮ＝０)を行い、ステップＳ１１２に進む。
【００３８】
ステップＳ１１０において、無線基地局ｅＮＢは、カウンタＣｏｕｎｔＤＯＷＮが閾値（第２所定数）ＴｈＣＮＴ，ＤＯＷＮよりも大きいか否かについて判定する。  カウンタＣｏｕｎｔＤＯＷＮが閾値ＴｈＣＮＴ，ＤＯＷＮよりも大きい場合には、無線基地局ｅＮＢは、「ＩｎｄｅｘＢＩ」をデクリメントする処理（ＩｎｄｅｘＢＩ――）を行い、ステップＳ１１２に進む。  ステップＳ１１２において、無線基地局ｅＮＢは、「ＩｎｄｅｘＢＩ」が「０」でないか否かについて判定する。
【００３９】
「ＩｎｄｅｘＢＩ」が「０」でない場合には、ステップＳ１１３において、無線基地局ｅＮＢは、現在の「ＩｎｄｅｘＢＩ」に対応するバックオフ値を含むバックオフ・インディケータを送信すべきであると判定する。
【００４０】
一方、「ＩｎｄｅｘＢＩ」が「０」である場合には、無線基地局ｅＮＢは、バックオフ値を含むバックオフ・インディケータを送信すべきでないと判定する。
【００４１】
次に、図４に戻り、移動局ＵＥは、バックオフ・インディケータを受信した場合、通知されたバックオフ値を最大値とした一様分布に従って、以降のＰＲＡＣＨにおける所定情報（例えば、ＲＡプリアンブルやＳｃｈｅｄｕｌｅｄ  Ｔｒａｎｓｍｉｓｓｉｏｎ等）の送信タイミングを遅らせる。
【００４２】
ステップＳ１００３において、移動局ＵＥは、ＰＲＡＣＨを介して、無線基地局ｅＮＢに対して、Ｓｃｈｅｄｕｌｅｄ  Ｔｒａｎｓｍｉｓｓｉｏｎを送信する。
【００４３】
ここで、移動局ＵＥは、バックオフ・インディケータを受信した場合、バックオフ値に基づいて決定された送信タイミングにおいて、Ｓｃｈｅｄｕｌｅｄ  Ｔｒａｎｓｍｉｓｓｉｏｎを送信する。なお、移動局ＵＥは、バックオフ・インディケータを受信した場合には、所望の送信タイミングで、Ｓｃｈｅｄｕｌｅｄ  Ｔｒａｎｓｍｉｓｓｉｏｎを送信することができる。
【００４４】
ステップＳ１００４において、無線基地局ｅＮＢは、移動局ＵＥに対して、受信したＳｃｈｅｄｕｌｅｄ  Ｔｒａｎｓｍｉｓｓｉｏｎに応じて、Ｃｏｎｅｔｅｎｔｉｏｎ  Ｒｅｓｏｌｕｔｉｏｎを送信する。
【００４５】
（本発明の第１の実施形態に係る移動通信システムの作用・効果）
本発明の第１の実施形態に係る移動通信システムによれば、混雑時等において、各移動局ＵＥによるＰＲＡＣＨにおける所定情報（例えば、ＲＡプリアンブルやＳｃｈｅｄｕｌｅｄ  Ｔｒａｎｓｍｉｓｓｉｏｎ等）の送信タイミングを分散させることで、ランダムアクセス手順の成功確率を向上させることができる。
【００４６】
以上に述べた本実施形態の特徴は、以下のように表現されていてもよい。
【００４７】
本実施形態の第１の特徴は、無線基地局ｅＮＢであって、ランダムアクセス手順において、ＲＡプリアンブルの使用状況が所定条件を満たす場合に、バックオフ値を通知するバックオフ・インディケータを送信するように構成されているバックオフ・インディケータ送信部１４を具備し、バックオフ値は、移動局ＵＥにおけるＲＡプリアンブルの送信タイミングに係る値であることを要旨とする。
【００４８】
本実施形態の第１の特徴において、ＲＡプリアンブルの使用状況として、測定期間内で移動局ＵＥから受信したＲＡプリアンブルの総数Ｎｕｍｐｒｅ、ＲＡプリアンブルを送信するＰＲＡＣＨにおける受信電力、ＰＲＡＣＨにおける干渉電力、或いは、ＰＲＡＣＨにおけるＳＩＮＲ又はＥｓ/Ｎ０の少なくとも１つが用いられてもよい。
【００４９】
本実施形態の第１の特徴において、バックオフ・インディケータ送信部１４は、連続する第１所定数ＴｈＣＮＴ，ＵＰの測定期間の全てにおいて移動局ＵＥから受信したＲＡプリアンブルの総数Ｎｕｍｐｒｅが第１閾値ＴｈＮＵＭＵＰを超えていた場合に、通知するバックオフ値を増加させるように構成されており、バックオフ・インディケータ送信部１４は、連続する第２所定数ＴｈＣＮＴ，ＤＯＷＮの測定期間の全てにおいて移動局ＵＥから受信したＲＡプリアンブルの総数Ｎｕｍｐｒｅが第２閾値ＴｈＮＵＭＤＯＷＮ以下である場合に、通知するバックオフ値を減少させるように構成されていてもよい。
【００５０】
本実施形態の第１の特徴において、バックオフ・インディケータ送信部１４は、通知するバックオフ値が０となる場合には、前記バックオフ・インディケータを送信しないように構成されていてもよい。
【００５１】
本実施形態の第２の特徴は、移動通信方法であって、無線基地局ｅＮＢが、ランダムアクセス手順において、ＲＡプリアンブルの使用状況が所定条件を満たす場合に、バックオフ値を通知するバックオフ・インディケータを送信する工程Ａと、移動局ＵＥが、バックオフ値に基づいて、ＲＡプリアンブルの送信タイミングを調整する工程Ｂとを有することを要旨とする。
【００５２】
本実施形態の第２の特徴において、ＲＡプリアンブルの使用状況として、測定期間内で移動局ＵＥから受信したＲＡプリアンブルの総数、ＲＡプリアンブルを送信するＰＲＡＣＨにおける受信電力、ＰＲＡＣＨにおける干渉電力、或いは、ＰＲＡＣＨにおけるＳＩＮＲ又はＥｓ/Ｎ０の少なくとも１つが用いられてもよい。
【００５３】
本実施形態の第２の特徴において、工程Ａにおいて、無線基地局ｅＮＢは、連続する第１所定数ＴｈＣＮＴ，ＵＰの測定期間の全てにおいて移動局ＵＥから受信したＲＡプリアンブルの総数Ｎｕｍｐｒｅが第１閾値ＴｈＮＵＭＵＰを超えていた場合に、通知するバックオフ値を増加させ、工程Ａにおいて、無線基地局ｅＮＢは、連続する第２所定数ＴｈＣＮＴ，ＤＯＷＮの測定期間の全てにおいて移動局ＵＥから受信したＲＡプリアンブルの総数Ｎｕｍｐｒｅが第２閾値ＴｈＮＵＭＤＯＷＮ以下である場合に、通知するバックオフ値を減少させてもよい。
【００５４】
本実施形態の第２の特徴において、工程Ａにおいて、無線基地局ｅＮＢは、通知するバックオフ値が０となる場合には、前記バックオフ・インディケータを送信しなくてもよい。
【００５５】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００５６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【００５８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５９】
ＵＥ…移動局
ｅＮＢ…無線基地局
１１…ＲＡプリアンブル計数部
１２…電力測定部
１３…判定部
１４…バックオフ・インディケータ送信部
【図１】
2010183531.tif 000003
【図２】
2010183531.tif 000004
【図３】
2010183531.tif 000005
【図４】
2010183531.tif 000006
【図５】
2010183531.tif 000007